(57)【要約】      （修正有）【課題】床を汚さず、足が滑ることがない室内作業用靴下カバーを提供する。【解決手段】室内作業用靴下カバーＡは、足の裏を覆う底部と足の甲を覆う甲部とからなり、底部の床面側に、外面用滑り止め部材３２が付されており、底部の足裏側に内面用滑り止め部材３１が付されている。室内で室内作業用靴下カバーＡを履くことにより、作業員の汗で床に足跡を残すことがなく、床を汚すことを防止できる。底部の床面側に外面用滑り止め部材３２が付されているので、室内作業用靴下カバーＡと床面との摩擦力が大きくなり、足が滑ることを防止できる。底部の足裏側に内面用滑り止め部材３１が付されているので、足の裏と室内作業用靴下カバーＡとの摩擦力が大きくなり、室内作業用靴下カバーＡの中で足がずれることがなく、足で踏ん張ることができる。【選択図】図２
0003231159.tif 000002
【実用新案登録請求の範囲】
【請求項１】
足の裏を覆う底部と足の甲を覆う甲部とからなり、
前記底部の床面側に外面用滑り止め部材が付されており、前記底部の足裏側に内面用滑り止め部材が付されている
ことを特徴とする室内作業用靴下カバー。
【請求項２】
前記外面用滑り止め部材は、所定の間隔をあけて格子状に配置された点状の摩擦係数の高い部材からなり、
前記内面用滑り止め部材の大きさに比べて小さい
ことを特徴とする請求項１記載の室内作業用靴下カバー。
【請求項３】
前記内面用滑り止め部材は、所定の間隔をあけて配置された摩擦係数の高い部材からなり、
前記外面用滑り止め部材の大きさに比べ大きい
ことを特徴とする請求項１または２記載の室内作業用靴下カバー。
【請求項４】
前記底部を構成する底布地は、足裏底布地と緩衝材と床面底布地を積層して縫い合わせて形成されている
ことを特徴とする請求項１、２または３記載の室内作業用靴下カバー。
【請求項５】
前記甲部を構成する甲布地には、ロゴが刺繍で付されている
ことを特徴とする請求項１、２、３または４記載の室内作業用靴下カバー。
【考案の詳細な説明】
【技術分野】
【０００１】
本考案は、室内作業用靴下カバーに関する。さらに詳しくは、家具その他の重量物を運搬するとき等に、室内で靴下の上から履く室内作業用靴下カバーに関する。
【背景技術】
【０００２】
電器店による電化製品の配達、設置や、引越しにおける家具の運搬、移設等の際には、冷蔵庫やテレビ等の重量物を室内に運び入れ、設置作業を行う必要がある。
このとき作業を行う作業員の靴下は木綿製であることが多く、一般家庭の床はフローリングや畳であるので、摩擦力が小さく足が滑りやすい。そのため、重量物を支持したまま転倒したり、階段から足を踏み外したりして怪我をする恐れがある。
そこで、足が滑らないように、底面に滑り止め部材を設けた靴下が考案されている（特許文献１）。この従来の靴下により、靴下と床面との摩擦力が大きくなるため、ある程度、足が滑ることを低減することができる。
【０００３】
しかるに、重量物を運搬する作業員は汗をかいている場合が多く、体温も上昇しているから、靴下のまま室内に入ると、汗で床に足跡が残り、床を汚してしまうという問題がある。
また、滑り止め部材は靴下の底面にしか設けられていないため、靴下と床面との摩擦力は大きいが、足の裏と靴下との摩擦力は小さい。そのため、足で踏ん張ると靴下の中で足がずれ、靴下が脱げるばかりか、足の力が抜けて踏ん張ることができないという問題がある。
【先行技術文献】
【特許文献】
【０００４】
【特許文献１】特開２００１−９８４０１号公報
【考案の概要】
【考案が解決しようとする課題】
【０００５】
本考案は上記事情に鑑み、作業員が室内を汚さず、重量物を運んでいても足が滑ることがない室内作業用靴下カバーを提供することを目的とする。
【課題を解決するための手段】
【０００６】
第１考案の室内作業用靴下カバーは、足の裏を覆う底部と足の甲を覆う甲部とからなり、前記底部の床面側に外面用滑り止め部材が付されており、前記底部の足裏側に内面用滑り止め部材が付されていることを特徴とする。
第２考案の室内作業用靴下カバーは、第１考案において、前記外面用滑り止め部材は、所定の間隔をあけて格子状に配置された点状の摩擦係数の高い部材からなり、前記内面用滑り止め部材の大きさに比べて小さいことを特徴とする。
第３考案の室内作業用靴下カバーは、第１または第２考案において、前記内面用滑り止め部材は、所定の間隔をあけて配置された摩擦係数の高い部材からなり、前記外面用滑り止め部材の大きさに比べ大きいことを特徴とする。
第４考案の室内作業用靴下カバーは、第１、第２または第３考案において、前記底部を構成する底布地は、足裏底布地と緩衝材と床面底布地を積層して縫い合わせて形成されていることを特徴とする。
第５考案の室内作業用靴下カバーは、第１、第２、第３または第４考案において、前記甲部を構成する甲布地には、ロゴが刺繍で付されていることを特徴とする。
【考案の効果】
【０００７】
第１考案によれば、室内で室内作業用靴下カバーを履くことにより、作業員の汗で床に足跡を残すことがなく、床を汚すことを防止できる。また、底部の床面側に外面用滑り止め部材が付されているので、室内作業用靴下カバーと床面との摩擦力が大きくなり、足が滑ることを防止できる。さらに、底部の足裏側に内面用滑り止め部材が付されているので、足の裏と室内作業用靴下カバーとの摩擦力が大きくなり、室内作業用靴下カバーの中で足がずれることがなく、足で踏ん張ることができる。
第２考案によれば、底部の床面側に付された外面用滑り止め部材の間隔は小さいので、平らな床面に接する面積が広くなり、室内作業用靴下カバーと床面との摩擦力が大きくなる。
第３考案によれば、底部の足裏側に付された内面用滑り止め部材は大きいので、凹凸のある足の裏に接する面積が広くなり、足の裏と室内作業用靴下カバーとの摩擦力が大きくなる。
第４考案によれば、底布地は緩衝材を有しているので、足を踏ん張ったときに内面用滑り止め部材を足の裏に強く接触させ、室内作業用靴下カバーの中で足がずれることがなく、足で踏ん張ることができる。
第５考案によれば、ロゴが刺繍で縫い付けられているので、甲部の表面が床面に接着した際にロゴ部分と床面とが擦れても床を汚すことを防止することができる。
【図面の簡単な説明】
【０００８】
【図１】本考案の一実施形態に係る室内作業用靴下カバーの側面図である。
【図２】図１におけるII−II線矢視断面図である。
【図３】底布地の足裏側の説明図である。
【図４】底布地の底面側の説明図である。
【図５】甲布地の踵部分を室内作業用靴下カバーの内側から見た拡大図である。
【図６】図１に示す室内作業用靴下カバーの平面図である。
【考案を実施するための形態】
【０００９】
つぎに、本考案の実施形態を図面に基づき説明する。
図１に示すように、本考案の一実施形態に係る室内作業用靴下カバーＡは、足の甲を覆う甲部と足の裏を覆う底部からなる靴形に形成されている。また、室内作業用靴下カバーＡは、甲部を構成する甲布地１０と、底部を構成する底布地２０とを縫い合わせて形成されている。
電器店等の作業員が、この室内作業用靴下カバーＡを室内で靴下の上から履くことにより、作業員の汗で室内の床に足跡を残すことがなく、床を汚すことを防止できる。
【００１０】
甲布地１０は薄手であることが好ましく、特にナイロンジャージ素材であることが好ましい。ナイロンジャージ素材は、適度な強度と通気性や柔らかさを備えるため、履き心地がよいからである。
【００１１】
また、甲布地１０には足を入れる履き口１１が形成されている。図２に示すように、履き口１１にはその縁に沿ってゴム通し部１２が縫い付けられている。ゴム通し部１２は甲布地１０と同じ素材の布地からなり、その布地を逆Ｕ字形折り曲げ、かつ平面視において環状に繋いだものである。そして、ゴム通し部１２の内部には、環状のゴムが通されている。
そのため、室内作業用靴下カバーＡを脱いだり履いたりすることが容易であり、装着時には、室内作業用靴下カバーＡが足首で固定されるため、作業中に簡単に脱げたりせず、安全である。
【００１２】
底布地２０は、足裏底布地２１と緩衝材２２と床面底布地２３とが三層に積層して縫い合わされている。足裏底布地２１と床面底布地２３に挟まれた緩衝材２２は、衝撃を吸収する機能があれば何でもよく、例えばポリウレタン等が用いられる。
【００１３】
足裏底布地２１の足裏側には、内面用滑り止め部材３１が形成され、床面底布地２３の床面側には外面用滑り止め部材３２が形成されている。すなわち、底布地２０には、足裏側にも床面側にも滑り止め部材３１，３２が配置されている。ここで、足裏側とは、室内作業用靴下カバーＡの内側で人の足の裏が接する側のことである。また、床面側とは、室内作業用靴下カバーＡの外側で床が接する側のことである。
滑り止め部材３１，３２の素材は、ゴムや軟質のプラスチック、塩化ビニール等、足裏や床面と摩擦係数が高いものが好ましい。
【００１４】
図３に示すように、足裏側の内面用滑り止め部材３１の形状は任意である。図３に示す形状は星形であるが、花形など他の形状を用いてもよい。内面用滑り止め部材３１は、多数個が所定の間隔をあけて格子状に配置されており、その一つの部材の直径は約６〜１０ｍｍである。また、点と点との縦の間隔は約１０〜２０ｍｍであって、横の間隔は約５〜１５ｍｍである。したがって、内面用滑り止め部材３１は、後述する外面用滑り止め部材３２より大きい寸法の摩擦係数の高い部材からなる。
【００１５】
内面用滑り止め部材３１は大きな形状であるから、湾曲している足裏であっても、足裏と内面用滑り止め部材３１との接する面積が広くなり、足裏と室内作業用靴下カバーＡとの摩擦力が大きくなる。そのため、室内作業用靴下カバーＡの中で足がずれることがなく、足で踏ん張ることができる。
【００１６】
内面用滑り止め部材３１により構成される格子は、図３に示すように縦方向にも横方向にも一列であってもよく、また図示してないが、互いに斜め横に位置するように配置されていてもよい。いずれの配置であっても、足裏に対し十分に摩擦力を発揮することができる。
【００１７】
内面用滑り止め部材３１は、底布地２０と甲布地１０とを縫い合わせるための縫い代Ｓを除く領域に付されている。
こうすることにより、底布地２０と甲布地１０との縫い目に内面用滑り止め部材３１が挟まることがないため、底布地２０と甲布地１０との縫製力を強く保つことができる。
【００１８】
図４に示すように、床面側の外面用滑り止め部材３２は、所定の間隔をあけて格子状に配置された複数の点状の摩擦係数の高い部材からなる。各外面用滑り止め部材３２の直径は約１ｍｍである。また、点と点との縦、横の間隔は約０．５ｍｍであり、足裏側の内面用滑り止め部材３１よりも、大きさも間隔も小さくなっている。
【００１９】
外面用滑り止め部材３２はこのような小さい形状であるから、外面用滑り止め部材３２と平らな床面との接する面積が広くなり、室内作業用靴下カバーＡと床面との摩擦力が大きくなる。そのため、足が滑ることを防止でき、室内で作業員が作業しやすい。
【００２０】
図５に示すように、甲部は、踵部分で左右に開かれた甲布地１０をその踵部分（踵縫製部１３）で縫い合わせて形成されている。踵縫製部１３の縫合の縫い目間隔は、踵部分が上下方向の伸長に耐え得る間隔であればよい。この間隔は甲布地１０の素材にもよるが、甲布地１０がナイロンジャージ素材の場合には、１ｃｍに６針程度である。
これにより、踵縫製部１３の縫合の強度が上がるため、作業員の踵によって、踵縫製部１３に上下方向の力がかかっても、その力に耐えることができる。
【００２１】
図６に示すように、甲布地１０の表面には会社名等のロゴ１４を刺繍により付してもよい。
ロゴ１４が甲布地１０に直接プリントされていると、甲布地１０が床面に接触した際に床面とロゴ１４とが擦れ、プリントが床に付着し床を汚すおそれがある。特に、足の体温が高くなったときには顕著である。しかし、ロゴ１４は刺繍で付されているので、甲布地１０が床面に接触した際にロゴ１４と床面とが擦れても床を汚すことを防止できる。
【００２２】
さらに、ロゴ１４は室内作業用靴下カバーＡの正面から見て読めるようにすることが好ましい。すなわち、図６のロゴ１４のように、つま先から見て文字を通常に読めるように刺繍すれば、ロゴ１４の宣伝広告機能を高めることができる。
【符号の説明】
【００２３】
Ａ    室内作業用靴下カバー
１０  甲布地
２０  底布地
２１  足裏底布地
２２  緩衝材
２３  床面底布地
３１  内面用滑り止め部材
３２  外面用滑り止め部材
【図１】
0003231159.tif 000003
【図２】
0003231159.tif 000004
【図３】
0003231159.tif 000005
【図４】
0003231159.tif 000006
【図５】
0003231159.tif 000007
【図６】
0003231159.tif 000008